(57)【要約】【課題】順方向と逆方向の触感の違いがより分かりやすい方向指示具を提供する。【解決手段】方向指示具１００は、基材１０と、複数の板状部材１２または複数の線状部材とを含む。複数の板状部材１２または複数の線状部材は、基材１０上に一方向ｄ１に並んで配置される。複数の板状部材１２または複数の線状部材は、基材１０の法線方向に対して一方向ｄ１側に傾斜している。たとえば、複数の板状部材１２または複数の線状部材は、弾性を有する。【選択図】図１
2020130870.tif 000002
【特許請求の範囲】
【請求項１】
基材と、
前記基材上に一方向に並んで配置され、当該基材の法線方向に対して当該一方向側に傾斜した複数の板状部材または複数の線状部材と、
を備えることを特徴とする方向指示具。
【請求項２】
前記板状部材または前記線状部材は弾性を有する、ことを特徴とする請求項１に記載の方向指示具。
【請求項３】
基材と、
前記基材上に一方向に並んで配置され、当該基材に対して起き上がった第１位置と、当該一方向側に倒れた第２位置との間でそれぞれ揺動可能な複数の板状部材と、
前記第２位置から前記第１位置に向けて各板状部材を付勢する付勢部材と、
を備えることを特徴とする方向指示具。
【請求項４】
前記複数の板状部材は、前記第２位置において前記一方向とほぼ平行である、ことを特徴とする請求項３に記載の方向指示具。
【請求項５】
前記複数の板状部材は、前記第１位置において前記基材の法線方向に対して前記一方向側に傾斜している、ことを特徴とする請求項３または４に記載の方向指示具。
【請求項６】
前記板状部材の平面視において、前記基材から離れた側の縁は面取りされている、ことを特徴とする請求項１から５のいずれかに記載の方向指示具。
【請求項７】
基材と、
前記基材上に一方向に並んで配置され、当該一方向に向かうほど当該基材からの高さが高くなる第１傾斜部と、当該一方向に向かうほど当該基材からの高さが低くなる第２傾斜部と、をそれぞれ有する複数の傾斜部材と、
を備え、
前記第２傾斜部の表面の摩擦係数は、前記第１傾斜部の表面の摩擦係数より大きい、ことを特徴とする方向指示具。
【請求項８】
前記第２傾斜部の表面の材質は前記第１傾斜部の表面の材質と異なる、ことを特徴とする請求項７に記載の方向指示具。
【請求項９】
前記第１傾斜部の表面は平面であり、
前記第２傾斜部の表面は凹凸を有する、ことを特徴とする請求項７または８に記載の方向指示具。
【請求項１０】
前記第２傾斜部は、一方向に向かうほど高さが階段状に低くなる、ことを特徴とする請求項９に記載の方向指示具。
【請求項１１】
前記第１傾斜部の表面に、前記一方向に延びる空隙が形成されている、ことを特徴とする請求項７から１０のいずれかに記載の方向指示具。
【請求項１２】
基材と、
前記基材上に一方向に並んで配置され、当該一方向に対応する回転方向に回転可能であり、当該回転方向の反対方向には回転不能である複数の回転部材と、
を備えることを特徴とする方向指示具。
【請求項１３】
各回転部材が前記回転方向に回転する際にクリック感を生じさせるクリック部を備える、ことを特徴とする請求項１２に記載の方向指示具。
【発明の詳細な説明】
【技術分野】
【０００１】
本発明は、触覚により方向を示す方向指示具に関する。
【背景技術】
【０００２】
従来、建物内や地下道内などで用いられる手摺として、視覚を用いることなく、触覚により避難時の避難方向を確認できる手摺が知られている。特許文献１には、手摺の下面に触覚誘導部材が設けられた技術が開示される。触覚誘導部材は、連続する複数の触覚誘導ブロックを有する。触覚誘導ブロックは、傾斜面と立ち上がり面を有する。傾斜面により、触覚誘導部材に触れながら避難方向に進む場合に滑らかな感触を与える。一方、立ち上がり面により、避難方向と反対に進む場合に引っかかりを感じさせ、避難方向に誘導できる。
【先行技術文献】
【特許文献】
【０００３】
【特許文献１】特開２０１４−１７３２６４号公報
【発明の概要】
【発明が解決しようとする課題】
【０００４】
特許文献１の技術において、避難方向に進む場合と反対方向に進む場合とで触感の違いをより分かりやすくすることが望まれる。
【０００５】
本発明はこうした状況に鑑みてなされたものであり、その目的は、順方向と逆方向の触感の違いがより分かりやすい方向指示具を提供することにある。
【課題を解決するための手段】
【０００６】
上記課題を解決するために、本発明のある態様の方向指示具は、基材と、基材上に一方向に並んで配置され、当該基材の法線方向に対して当該一方向側に傾斜した複数の板状部材または複数の線状部材と、を備える。
【０００７】
本発明の別の態様もまた、方向指示具である。この方向指示具は、基材と、基材上に一方向に並んで配置され、当該基材に対して起き上がった第１位置と、当該一方向側に倒れた第２位置との間でそれぞれ揺動可能な複数の板状部材と、第２位置から第１位置に向けて各板状部材を付勢する付勢部材と、を備える。
【０００８】
本発明のさらに別の態様もまた、方向指示具である。この方向指示具は、基材と、基材上に一方向に並んで配置され、当該一方向に向かうほど当該基材からの高さが高くなる第１傾斜部と、当該一方向に向かうほど当該基材からの高さが低くなる第２傾斜部と、をそれぞれ有する複数の傾斜部材と、を備える。第２傾斜部の表面の摩擦係数は、第１傾斜部の表面の摩擦係数より大きい。
【０００９】
本発明のさらに別の態様もまた、方向指示具である。この方向指示具は、基材と、基材上に一方向に並んで配置され、当該一方向に対応する回転方向に回転可能であり、当該回転方向の反対方向には回転不能である複数の回転部材と、を備える。
【発明の効果】
【００１０】
本発明によれば、順方向と逆方向の触感の違いがより分かりやすい方向指示具を提供できる。
【図面の簡単な説明】
【００１１】
【図１】実施の形態に係る方向指示具の斜視図である。
【図２】図２（ａ）は、図１の方向指示具の一部の上面図であり、図２（ｂ）は、図２（ａ）のＸ−Ｘ’線に沿った断面図である。
【図３】方向指示具の別の構成例を示す斜視図である。
【図４】図３の方向指示具の一方向に沿った断面図である。
【図５】方向指示具のさらに別の構成例を示す斜視図である。
【図６】図５の一部を拡大した斜視図である。
【図７】図５の方向指示具の板状部材付近の一方向に沿った断面図である。
【図８】図８（ａ）は、方向指示具のさらに別の構成例を示す平面図であり、図８（ｂ）は、図８（ａ）のＸ−Ｘ’線に沿った断面図である。
【図９】方向指示具のさらに別の構成例を示す斜視図である。
【図１０】図１０（ａ）は、図９の方向指示具の一部の上面図であり、図１０（ｂ）は、図１０（ａ）の方向指示具の側面図である。
【図１１】方向指示具のさらに別の構成例を示す斜視図である。
【図１２】図１２（ａ）は、図１１の方向指示具の一部の上面図であり、図１２（ｂ）は、図１２（ａ）の方向指示具の側面図である。
【図１３】方向指示具のさらに別の構成例を示す斜視図である。
【図１４】図１３の方向指示具の１つの回転部材を取り除いた斜視図である。
【図１５】図１３の方向指示具の一部の一方向に沿った断面図である。
【発明を実施するための形態】
【００１２】
以下、各図面における部材の寸法は、理解を容易にするために適宜拡大、縮小して示される。また、各図面において実施の形態を説明する上で重要ではない部材の一部は省略して表示する。
【００１３】
図１は、実施の形態に係る方向指示具１００の斜視図である。図２（ａ）は、図１の方向指示具１００の一部の上面図であり、図２（ｂ）は、図２（ａ）のＸ−Ｘ’線に沿った断面図である。
【００１４】
方向指示具１００は、たとえば、建物内、トンネル内などの側壁や手すりなどに、避難経路に沿って連続して取り付けられる。ユーザは、指や手のひらで方向指示具１００の表面を触れながら滑らせることで、触覚により避難方向を認識できる。そのため、火災や崩落事故などで煙が発生し、視界がほとんど無い状況であっても、正しい方向に避難しやすい。
【００１５】
方向指示具１００は、基材１０と、複数の板状部材１２とを備える。基材１０と複数の板状部材１２は、弾性を有する。基材１０と複数の板状部材１２は、シリコーン樹脂などの樹脂材料、ゴムなどにより一体的に形成されてもよいし、同一または異なる材料でそれぞれ形成された後で接合されてもよい。
【００１６】
基材１０は、たとえばシート形状を有する。複数の板状部材１２は、基材１０上に一方向ｄ１（以下、順方向とも呼ぶ）に並んで配置され、基材１０の表面の法線方向ｎｄに対して一方向ｄ１側に傾斜している。板状部材１２は、基材１０の面内で一方向ｄ１に直交する方向ｄ２に細長い。板状部材１２の平面視において、基材１０から離れた側の縁、すなわち先端部１２ａの縁は面取りされている。つまり板状部材１２は、平面視で長方形の角に丸みを持たせた形状となっている。板状部材１２の形状は特に限定されず、平面視で円の一部、楕円の一部などであってもよい。板状部材１２の厚みは、所望の弾性が得られるように実験などに応じて適宜決定でき、基材１０から離れるほど薄くなってもよいし、一様であってもよい。所望の弾性が得られるように、一方向ｄ１に沿って板状部材１２に切れ込みを形成してもよい。
【００１７】
この構成により、方向指示具１００の表面を一方向ｄ１になぞる操作の抵抗感は、一方向ｄ１の反対方向（以下、逆方向とも呼ぶ）になぞる操作の抵抗感より小さい。ユーザは、一方向ｄ１に手を動かす場合、板状部材１２を乗り越えながら滑らかに動かすことができる。板状部材１２が弾性を有するので、このとき板状部材１２が指に押されて撓み、その先端部１２ａが一方向ｄ１にほぼ平行になり、指が通り過ぎる際には板状部材１２が元の形状に戻るように指を弾く。そのため、指は一方向ｄ１への抵抗をほとんど感じることなく、滑らかに動くことができる。また、リズミカルな触刺激が得られるため、心地よさを感じることもできる。
【００１８】
一方、ユーザは、逆方向に手を動かす場合、指が板状部材１２の先端部１２ａに引っかかり、指が板状部材１２をめくりあげるように進むため、強い抵抗を感じ、触感も不快なものとなる。
【００１９】
よって、順方向と逆方向の触感の違いがより分かりやすく、ユーザは順方向と逆方向をより容易に把握できる。
【００２０】
また、板状部材１２の先端部１２ａの縁には角がないので、順方向または逆方向に指を動かす際、指が板状部材１２の先端部１２ａの縁に接触することで感じる刺激を少なくできる。このような効果が必要ない場合には、板状部材１２は角を有する矩形であってもよい。
【００２１】
方向指示具１００は、機械的な振動を指先に伝えて方向を示すためのモータやアクチュエータなどの複雑な機械的機構を必要としないため、安価に製造でき、故障しにくく、定期的なメンテナンスも不要である。また、言語を用いず、ユーザが事前に学習した知識も必要としないため、ユーザの人種や年齢を選ばすに方向を示すこともできる。
【００２２】
以下、方向指示具１００の様々な別の構成例を説明する。特に断らない限り、図１の方向指示具１００との相違点を中心に説明する。
【００２３】
図３は、方向指示具１００の別の構成例を示す斜視図である。図４は、図３の方向指示具１００の一部の一方向ｄ１に沿った断面図である。この方向指示具１００の上面図は、図２（ａ）と同一である。
【００２４】
この構成例では、図１の基材１０よりも薄い樹脂、金属、紙などのシート部材を準備し、このシート部材に板状部材１２に対応する切れ込みを入れ、切れ込みを入れた部分をシート部材から起き上がらせることで、基材１０上に複数の板状部材１２を形成する。そのため、基材１０は、板状部材１２とほぼ等しい形状の開口１０ａを複数有する。板状部材１２が弾性を有するように、材料に応じてシート部材の厚さは適宜決定される。この方向指示具１００でも、図１の方向指示具１００と同様の効果が得られる。
【００２５】
なお、材料として紙を用いる場合、逆方向に手を動かすと、指が板状部材１２にひっかかったことで板状部材１２が壊れる程度の強度で構成されてもよい。板状部材１２が壊れたことにより、ユーザは逆方向を容易に認識できる。
【００２６】
図５は、方向指示具１００のさらに別の構成例を示す斜視図である。図６は、図５の一部を拡大した斜視図である。図７は、図５の方向指示具１００の板状部材１２付近の一方向ｄ１に沿った断面図である。
【００２７】
複数の板状部材１２は、たとえば樹脂、金属などで構成され、硬性を有するが、弾性を有してもよい。複数の板状部材１２は、それぞれ、基材１０に対して起き上がった第１位置と、一方向ｄ１側に倒れた第２位置との間で揺動可能である。図５では、複数の板状部材１２は第１位置にある。図６では、１つの板状部材１２Ｘは第２位置にある。図７では、第１位置にある板状部材１２を実線で示し、第２位置にある板状部材１２を一点鎖線で示す。板状部材１２は、第１位置において基材１０の表面の法線方向ｎｄに対して一方向ｄ１側に傾斜している。板状部材１２は、第２位置において一方向ｄ１とほぼ平行であり、基材１０の開口１０ａに嵌まる。
【００２８】
複数の板状部材１２は、それぞれ、付勢部材１６により基材１０に取り付けられる。付勢部材１６は、たとえば、ばねヒンジであり、方向ｄ２に延びる揺動軸１６ａを有し、第２位置から第１位置に向けて板状部材１２を付勢する。板状部材１２は、揺動軸１６ａのまわりに揺動可能である。
【００２９】
板状部材１２には、第１位置において基材１０に当接するストッパ１４が設けられる。ストッパ１４が基材１０に当接することで、付勢部材１６に付勢された板状部材１２は、指などにより力が加えられない状態では第１位置に位置する。
【００３０】
ユーザが一方向ｄ１に手を動かす場合、第１位置にある板状部材１２が指に押されて一方向ｄ１とほぼ平行に倒れる。第２位置に倒れた板状部材１２は、開口１０ａに嵌まる。そのためユーザは、指の位置を上下にほとんど変化させずに、基材１０の表面に沿って指をより滑らかに動かしやすい。
【００３１】
このとき、指が板状部材１２を通り過ぎる際には、付勢部材１６により付勢された板状部材１２が元の第１位置に戻ることで指を弾く。これにより、リズミカルな触刺激が得られるため、心地よさを感じることもできる。
【００３２】
ユーザが逆方向に手を動かす場合、指が板状部材１２の先端部１２ａに当たりながら進むため、指が強い抵抗を感じ、触感も不快なものとなる。
【００３３】
板状部材１２が硬性を有し、板状部材１２の基材１０からの高さが指より高い場合、逆方向に指を動かす際、基材１０と板状部材１２の間に指が入り込みやすく、入り込んだ指を動かせないので、順方向と逆方向の触感の違いがより分かりやすい。
【００３４】
なお、複数の板状部材１２は、第１位置において基材１０に対してほぼ垂直であってもよい。また、基材１０に開口１０ａを設けずに、シート状の基材１０上に付勢部材１６により板状部材１２が取り付けられてもよい。この場合、板状部材１２は、第２位置において基材１０とほぼ平行になり、基材１０に重なる。これらの例では、方向指示具１００の構成の自由度を向上できる。
【００３５】
図８（ａ）は、方向指示具１００のさらに別の構成例を示す平面図であり、図８（ｂ）は、図８（ａ）のＸ−Ｘ’線に沿った断面図である。方向指示具１００は、図１の板状部材１２に替えて、複数の線状部材２０を備える。複数の線状部材２０は、一方向ｄ１および方向ｄ２に並んで配置される。図８では複数の線状部材２０が規則的に配置されるが、不規則に配置されてもよいし、一方向ｄ１のみに並んで配置されてもよい。
【００３６】
複数の線状部材２０は、基材１０の表面の法線方向ｎｄに対して一方向ｄ１側に傾斜している。複数の線状部材２０は、シリコーン樹脂などの樹脂材料、ゴムなどの弾性を有する材料で構成される。線状部材２０の横断面形状は、所望の弾性が得られるように実験などに応じて適宜決定でき、ほぼ円形であってもよいし、ほぼ矩形であってもよい。線状部材２０の太さは、所望の弾性が得られるように実験などに応じて適宜決定でき、基材１０から離れるほど細くなってもよいし、一様であってもよい。順方向と逆方向を示すことができる程度の弾性を有すれば、線状部材２０は動物の毛で構成されてもよい。
【００３７】
この構成でも、図１の構成と同様の効果が得られる。また、方向指示具１００の構成の自由度を向上できる。
【００３８】
図９は、方向指示具１００のさらに別の構成例を示す斜視図である。図１０（ａ）は、図９の方向指示具１００の一部の上面図であり、図１０（ｂ）は、図１０（ａ）の方向指示具１００の側面図である。
【００３９】
この構成例では、方向指示具１００は、図１の板状部材１２に替えて、複数の傾斜部材３０を備える。複数の傾斜部材３０は、たとえば樹脂、金属などの硬質の材料で構成され、基材１０上に一方向ｄ１に並んで配置される。傾斜部材３０は、一方向ｄ１に向かうほど基材１０からの高さが高くなる第１傾斜部３２と、一方向ｄ１に向かうほど基材１０からの高さが低くなる第２傾斜部３４と、第１傾斜部３２と第２傾斜部３４の間の第１平行部３６とを有する。
【００４０】
第１傾斜部３２の表面３２ａは、平面の傾斜面である。第１傾斜部３２の表面３２ａは、第１平行部３６の上面３６ａと連続する。第１平行部３６の上面３６ａは、基材１０の表面とほぼ平行である。第１傾斜部３２の表面３２ａと第１平行部３６の上面３６ａには、一方向ｄ１に延び、方向ｄ２に並ぶ複数の空隙３８が形成される。図示する例では、空隙３８は基材１０の表面まで達するが、達しなくてもよい。第１傾斜部３２は、空隙３８により分けられた同一形状の４つの第３傾斜部４０から構成される。第１平行部３６は、空隙３８により分けられた同一形状の４つの第２平行部４２から構成される。
【００４１】
第２傾斜部３４には、方向ｄ２に延び、一方向ｄ１に並ぶ複数の空隙４４が形成される。図示する例では、空隙４４は基材１０の表面まで達するが、達しなくてもよい。第２傾斜部３４は、空隙４４により分けられた３つの段部４６から構成される。段部４６は、それぞれ基材１０からの高さが異なる。これにより第２傾斜部３４は、一方向ｄ１に向かうほど高さが階段状に低くなる。第２傾斜部３４の表面３４ａは、凹凸を有するともいえる。空隙４４は形成されずに第２傾斜部３４が階段状に構成されてもよい。
【００４２】
この構成により、第２傾斜部３４の表面３４ａの摩擦係数は、第１傾斜部３２の表面３２ａの摩擦係数より大きい。そのため、逆方向に手を動かす場合、相対的に摩擦係数の大きい第２傾斜部３４の表面３４ａに指がぶつかりながら進むため、相対的に抵抗感が強い。
【００４３】
一方向ｄ１に手を動かす場合、相対的に摩擦係数の小さい第１傾斜部３２の表面３２ａを指が登るため、相対的に抵抗感が弱い。一方向ｄ１に手を比較的速く動かす場合、指が第１傾斜部３２の表面３２ａを登った勢いにより第２傾斜部３４に触れにくいため、全体的に抵抗感が弱くなる。
【００４４】
一方向ｄ１に手を比較的遅く動かす場合、指が第１傾斜部３２を登った後で第２傾斜部３４にも触れるが、第２傾斜部３４は一方向ｄ１に徐々に低くなるので第２傾斜部３４への指の接触圧が低くなりやすいため、第２傾斜部３４に触れた抵抗感は逆方向の場合より弱い。また、指が第１傾斜部３２を登った後で第２傾斜部３４にも弱く触れることで、第２傾斜部３４がない場合と比較して、指の位置が急に下がりにくい。よって、触感が悪化しにくく、ユーザに違和感を与え難い。
【００４５】
また、空隙が無い場合と比較して、第１傾斜部３２の空隙３８により、一方向ｄ１に手を動かすときの第１傾斜部３２での摩擦が減るので、順方向と逆方向の触感の違いがより明確になりやすい。
【００４６】
図１１は、方向指示具１００のさらに別の構成例を示す斜視図である。図１２（ａ）は、図１１の方向指示具１００の一部の上面図であり、図１２（ｂ）は、図１２（ａ）の方向指示具１００の側面図である。以下、図９の方向指示具１００との相違点を中心に説明する。
【００４７】
第２傾斜部３４の表面３４ａには、凹凸部５０が設けられる。凹凸部５０の材質は、第１傾斜部３２の材質と異なる。第１傾斜部３２は、樹脂、金属などの硬質の材料で構成され、凹凸部５０は、第１傾斜部３２の材質より摩擦係数の大きいゴムなどで構成される。つまり、第２傾斜部３４の表面３４ａの材質は、第１傾斜部３２の表面３２ａの材質と異なる。第１傾斜部３２の表面３２ａの傾斜角度は、巨視的に見た第２傾斜部３４の表面３４ａの傾斜角度とほぼ等しい。
【００４８】
この構成例では、凹凸部５０により、第２傾斜部３４の表面３４ａの摩擦係数が第１傾斜部３２の表面３２ａの摩擦係数より大きくなり、さらに、材質が異なることで第１傾斜部３２と第２傾斜部３４の表面の摩擦係数の差をより大きくできる。そのため、順方向と逆方向の触感の違いがより明確になりやすい。
【００４９】
なお、凹凸部５０の材質は第１傾斜部３２の材質と同一でもよい。第２傾斜部３４の表面３４ａに凹凸部５０を設けず、第１傾斜部３２と第２傾斜部３４の材質のみを異ならせてもよい。図９の構成例と同様に、第１傾斜部３２に一方向ｄ１に延びる空隙を形成してもよい。
【００５０】
図１３は、方向指示具１００のさらに別の構成例を示す斜視図である。図１４は、図１３の方向指示具１００の１つの回転部材６０を取り除いた斜視図である。図１５は、図１３の方向指示具１００の一部の一方向ｄ１に沿った断面図である。
【００５１】
方向指示具１００は、基材１０と、複数の回転部材６０と、複数のクリック部６２とを備える。基材１０は、一方向ｄ１に並ぶ複数の凹部６４を有する。凹部６４は方向ｄ２に細長い。凹部６４には、穴部６６が設けられる。
【００５２】
複数の回転部材６０は、基材１０上に一方向ｄ１に並んで配置される。回転部材６０の下方の部分は、１対１に対応する凹部６４に収容される。回転部材６０は、方向ｄ２、すなわち回転軸方向に延びる柱形状を有し、回転軸方向に垂直な断面においてほぼ十字形であり、複数の角部６０ａを有する。回転部材６０は、四角柱などの角柱形状であってもよいし、円柱形状であってもよい。回転部材６０の表面の摩擦係数は、回転部材６０の表面をなぞる指や手のひらが滑らない程度の値であることが好ましい。
【００５３】
回転部材６０は、回転軸６８により基材１０に支持され、一方向ｄ１に対応する回転方向ｄｒ１に回転軸６８のまわりに回転可能であり、回転方向ｄｒ１の反対方向には回転不能である。
【００５４】
クリック部６２は、たとえば板バネであり、回転部材６０に１対１に対応して基材１０の穴部６６に配置される。クリック部６２は、回転部材６０が回転方向ｄｒ１に回転する際にクリック感を生じさせる。クリック部６２は、回転部材６０が回転方向ｄｒ１に回転する場合、回転部材６０の角部６０ａで付勢される。クリック部６２は、回転部材６０が回転方向ｄｒ１の反対方向に回転する場合、回転部材６０の角部６０ａに当たり回転を防止する。クリック部６２は、この例に限らず、周知の技術を適宜利用でき、たとえば回転軸６８に設けられる形態であってもよい。
【００５５】
この構成例では、ユーザが手を一方向ｄ１に動かした場合、回転部材６０が回転方向ｄｒ１に回転することで指を押し出すように働き、抵抗感を減らすことができ、より滑らかに手を動かせる。
【００５６】
また、回転部材６０が回転方向ｄｒ１に回転することで角部６０ａがクリック部６２を付勢し、さらに回転すると回転部材６０がクリック部６２に接触しなくなり、クリック部６２が元の位置に戻るので、クリック感が生じる。ユーザが手を一方向ｄ１に動かすことでリズミカルにクリック感が発生するので、心地よさを得ることができる。
【００５７】
手を逆方向に動かした場合、回転部材６０が回転しないので、強い抵抗を感じ、触感も不快になりやすい。よって、順方向と逆方向の触感の違いがより分かりやすい。
【００５８】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００５９】
たとえば、図１，３の方向指示具１００では板状部材１２は弾性を有したが、硬性を有してもよい。板状部材１２の高さを指より高くすることで、図５の構成例と同様に、逆方向に指を動かす際、板状部材１２と基材１０との間に指が入り込みやすく、順方向と逆方向の触感の違いがより分かりやい。
【００６０】
また、方向指示具１００を部屋の壁における出入り口付近から照明スイッチまでの間に取り付けてもよい。これにより、部屋が暗い状況でも、ユーザが方向指示具１００に触れながら順方向に手を動かすと、照明スイッチに誘導される。
【００６１】
また、方向指示具１００を階段や駅などの手すりに取り付けてもよい。たとえば、左側通行の場所では、左側通行時にユーザの左側に位置する手すりに対して、左側通行時に順方向になるように方向指示具１００を設ける。これにより、視覚障害者などのユーザに右側通行であるか左側通行であるかを把握させることができる。
【００６２】
さらに、方向指示具１００をペットボトルなどの容器の蓋の側面に取り付けてもよい。これにより、蓋の開閉方向を触覚により示すことができる。
【符号の説明】
【００６３】
ｄ１…一方向、ｄｒ１…回転方向、１０…基材、１２，１２Ｘ…板状部材、１６…付勢部材、２０…線状部材、３０…傾斜部材、３２…第１傾斜部、３４…第２傾斜部、３８…空隙、４４…空隙、６０…回転部材、６２…クリック部、１００…方向指示具。
【図１】
2020130870.tif 000003
【図２】
2020130870.tif 000004
【図３】
2020130870.tif 000005
【図４】
2020130870.tif 000006
【図５】
2020130870.tif 000007
【図６】
2020130870.tif 000008
【図７】
2020130870.tif 000009
【図８】
2020130870.tif 000010
【図９】
2020130870.tif 000011
【図１０】
2020130870.tif 000012
【図１１】
2020130870.tif 000013
【図１２】
2020130870.tif 000014
【図１３】
2020130870.tif 000015
【図１４】
2020130870.tif 000016
【図１５】
2020130870.tif 000017